(57)【要約】【課題】既設上枠、既設縦枠が見込み方向、見付け方向に変形している場合でも十分な水密効果が得られると共に、障子閉じ時の衝撃を緩和できるようにした改装サッシとする。【解決手段】既設枠３内に取付けた新設枠１０の新設上枠２０、新設縦枠４０に上横シール材５０、縦シール材６０をそれぞれ取付け、この上横シール材５０、縦シール材６０を既設上枠４、既設縦枠６の室外側部４ａ，６ａの室外側面４ｃ，６ｃ、内端部４ｄ，６ｄに接して十分な水密効果が得られるようにし、前記縦シール材６０を新設縦枠４０の外面４０ｃに接して新設縦枠４０に作用する衝撃を緩和する。【選択図】図３
2010174547.tif 000002
【特許請求の範囲】
【請求項１】
建物躯体の開口部に残存した既設枠内に新設枠を取付け、その新設枠に障子を取付けた改装サッシであって、
前記新設枠の新設上枠における室外側部に上横シール材を取付け、
この上横シール材を、既設上枠の室外側部の室外側面と、その室外側面と連続し、かつ直交する方向の見込み面を有する内端部とに亘って接するように取付けることで新設上枠の室外側部と既設上枠の室外側部との間を水密し、
前記新設枠の新設縦枠における室外側部に縦シール材を取付け、
この縦シール材を、既設縦枠の室外側部の室外側面と、その室外側面と連続し、かつ直交する方向の見込み面を有する内端部及び新設縦枠の外面とに亘って接するように取付けることで新設縦枠の室外側部と既設縦枠の室外側部との間を水密したことを特徴とする改装サッシ。
【請求項２】
前記上横シール材を、前記開口部の上内面における躯体上横シール材よりも室外側に接し、
前記縦シール材を、前記開口部の縦内面における躯体縦シール材よりも室外側に接した請求項１記載の改装サッシ。
【請求項３】
前記上横シール材は、第１シール部と第２シール部を備え、その第１シール部が既設上枠の室外側部の室外側面と、その室外側面と連続し、かつ直交する方向の見込み面を有する内端部とに亘って接し、前記第２シール部が前記開口部の上内面における躯体上横シール材よりも室外側で前記上内面に接するように取付けることで新設上枠の室外側部と既設上枠の室外側部との間を水密し、
前記縦シール材は、第１シール部と第２シール部を備え、その第１シール部が既設縦枠の室外側部の室外側面と、その室外側面と連続し、かつ直交する方向の見込み面を有する内端部及び新設縦枠の外面とに亘って接し、前記第２シール部が前記開口部の縦内面における躯体縦シール材よりも室外側で前記縦内面に接するように取付けることで新設縦枠の室外側部と既設縦枠の室外側部との間を水密した請求項２記載の改装サッシ。
【請求項４】
前記新設上枠は、既設上枠の室外側部の室外側面と対向した第１支持面と、開口部の上内面と対向した第２支持面を有し、
前記上横シール材は第１シール部に第２シール部を一体に設けた形状で、その第１シール部を前記第１支持面と既設上枠の室外側部の室外側面で見込み方向に挟持すると共に第２支持面に接し、第２シール部を開口部の上内面に接するように取付けることで新設上枠の室外側部と既設上枠の室外側部との間を水密し、
前記新設縦枠は、既設縦枠の室外側面と対向した第１支持面と、開口部の縦内面と対向した第２支持面を有し、
前記縦シール材は第１シール部に第２シール部を一体に設けた形状で、その第１シール部を前記第１支持面と既設縦枠の室外側部の室外側面で見込み方向に挟持し、かつ新設縦枠の外面と既設縦枠の室外側部の内端部で見付け方向に挟持すると共に第２支持面に接し、第２シール部を開口部の縦内面に接するように取付けることで新設縦枠の室外側部と既設縦枠の室外側部との間を水密した請求項３記載の改装サッシ。
【発明の詳細な説明】
【技術分野】
【０００１】
本発明は、建物躯体の開口部に取付けてある既設サッシを新設サッシに改装した改装サッシに関する。
【背景技術】
【０００２】
従来、改装サッシとしては、既設サッシの既設枠を建物躯体の開口部に残存させ、その既設枠内に新設サッシの新設枠を取付けたものが一般的である。
前述した改装サッシにおいては、新設上枠の室外側部と既設上枠の室外側部との間、新設縦枠の室外側部と既設縦枠の室外側部との間から雨水等が室内側に浸入しないようにすることが要求される。
【０００３】
前述の要求を満足できるようにした改装サッシが特許文献１に開示されている。
この改装サッシは、新設上枠の室外側寄りに上横シール材を取付けると共に、新設縦枠の室外側寄りに縦シール材を取付け、前記上横シール材を既設上枠の室外側部の室外側面に接し、前記縦シール材を既設縦枠の室外側部の室外側面に接している。
【特許文献１】特許第４０９３４１１号公報
【発明の開示】
【発明が解決しようとする課題】
【０００４】
前述した改装サッシであれば、上横シール材によって、新設上枠の室外側部と既設上枠の室外側部との間から雨水等が室内側に浸入することを防止できる。
また、縦シール材によって、新設縦枠の室外側部と既設縦枠の室外側部との間から雨水等が室内側に浸入することを防止できる。
しかしながら、前述の水密の仕方では水密性能が十分ではなく、既設サッシの既設枠は経年変化等によって見込み方向（面外方向）、見付け方向（面内方向）に変形することがあり、そのような場合には、前記上横シール材、縦シール材による水密性能が低下し、前記新設上枠の室外側部と既設上枠の室外側部間から雨水等が室内側に浸入することを防止できないことがあり、前記新設縦枠の室外側部と既設縦枠の室外側部との間から雨水等が室内側に浸入することを防止できない。
【０００５】
本発明の目的は、上横シール材、縦シール材による水密性能が十分で、既設枠が見込み方向、見付け方向に変形している場合でも、新設上枠の室外側部と既設上枠の室外側部との間から雨水等が室内側に浸入することを防止できると共に、新設縦枠の室外側部と既設縦枠の室外側部との間から雨水等が室内側に浸入することを防止でき、しかも縦シール材によって障子を閉じた場合の衝撃を緩和できるようにした改装サッシとすることである。
【課題を解決するための手段】
【０００６】
本発明は、建物躯体の開口部に残存した既設枠内に新設枠を取付け、その新設枠に障子を取付けた改装サッシであって、
前記新設枠の新設上枠における室外側部に上横シール材を取付け、
この上横シール材を、既設上枠の室外側部の室外側面と、その室外側面と連続し、かつ直交する方向の見込み面を有する内端部とに亘って接するように取付けることで新設上枠の室外側部と既設上枠の室外側部との間を水密し、
前記新設枠の新設縦枠における室外側部に縦シール材を取付け、
この縦シール材を、既設縦枠の室外側部の室外側面と、その室外側面と連続し、かつ直交する方向の見込み面を有する内端部及び新設縦枠の外面とに亘って接するように取付けることで新設縦枠の室外側部と既設縦枠の室外側部との間を水密したことを特徴とする改装サッシである。
【０００７】
本発明においては、前記上横シール材を、前記開口部の上内面における躯体上横シール材よりも室外側に接し、
前記縦シール材を、前記開口部の縦内面における躯体縦シール材よりも室外側に接するようにできる。
このようにすれば、躯体上横シール材の劣化、シール切れ部分からの雨水等の建物躯体への浸入を防止できると共に、躯体縦シール材の劣化、シール切れ部分からの雨水等の建物躯体への浸入を防止できる。
【０００８】
本発明においては、前記上横シール材は、第１シール部と第２シール部を備え、その第１シール部が既設上枠の室外側部の室外側面と、その室外側面と連続し、かつ直交する方向の見込み面を有する内端部とに亘って接し、前記第２シール部が前記開口部の上内面における躯体上横シール材よりも室外側で前記上内面に接するように取付けることで新設上枠の室外側部と既設上枠の室外側部との間を水密し、
前記縦シール材は、第１シール部と第２シール部を備え、その第１シール部が既設縦枠の室外側部の室外側面と、その室外側面と連続し、かつ直交する方向の見込み面を有する内端部及び新設縦枠の外面とに亘って接し、前記第２シール部が前記開口部の縦内面における躯体縦シール材よりも室外側で前記縦内面に接するように取付けることで新設縦枠の室外側部と既設縦枠の室外側部との間を水密することができる。
このようにすれば、上横シール材、縦シール材の第１・第２シール部を、そのシール部が接する部分に応じた形状等とすることができるから、十分な水密性能が得られる。
【０００９】
本発明においては、前記新設上枠は、既設上枠の室外側部の室外側面と対向した第１支持面と、開口部の上内面と対向した第２支持面を有し、
前記上横シール材は第１シール部に第２シール部を一体に設けた形状で、その第１シール部を前記第１支持面と既設上枠の室外側部の室外側面で見込み方向に挟持すると共に第２支持面に接し、第２シール部を開口部の上内面に接するように取付けることで新設上枠の室外側部と既設上枠の室外側部との間を水密し、
前記新設縦枠は、既設縦枠の室外側面と対向した第１支持面と、開口部の縦内面と対向した第２支持面を有し、
前記縦シール材は第１シール部に第２シール部を一体に設けた形状で、その第１シール部を前記第１支持面と既設縦枠の室外側部の室外側面で見込み方向に挟持し、かつ新設縦枠の外面と既設縦枠の室外側部の内端部で見付け方向に挟持すると共に第２支持面に接し、第２シール部を開口部の縦内面に接するように取付けることで新設縦枠の室外側部と既設縦枠の室外側部との間を水密することができる。
このようにすれば、新設上枠の室外側部と既設上枠の室外側部との間を確実に水密できると共に、躯体上横シール材の劣化、シール切れ部分からの建物躯体への雨水等の浸入を長期間に亘って確実に防止でき、しかも新設上枠を見込み方向に位置決めすることができる。
また、新設縦枠の室外側部と既設縦枠の室外側部との間を確実に水密できると共に、躯体縦シール材の劣化、シール切れ部分からの建物躯体への雨水等の浸入を長期間に亘って確実に防止でき、しかも障子を閉じたときの衝撃を十分に緩和できると共に、新設縦枠を見込み方向に位置決めできる。
【発明の効果】
【００１０】
本発明によれば、上横シール材が既設上枠の室外側部の室外側面と内端部に接し、縦シール材は既設縦枠の室外側部の室外側面と内端部に接しているので、その上横シール材、縦シール材による水密性能が十分である。
したがって、既設枠が見込み方向、見付け方向に変形している場合でも、新設上枠の室外側部と既設上枠の室外側部との間から雨水等が室内側に浸入することを防止できると共に、新設縦枠の室外側部と既設縦枠の室外側部との間から雨水等が室内側に浸入することを防止できる。
しかも、縦シール材が既設縦枠の室外側部の内端部と新設縦枠の外面に接しているから、障子を閉じて新設縦枠に衝突したときの衝撃を縦シール材によって緩和できる。
【発明を実施するための最良の形態】
【００１１】
図１と図２に示すように、建物躯体１の開口部２には、既設サッシの既設枠３が取付けてある。つまり、既設サッシを、その既設枠３のみを残存して他の部分を取り外してある。
前記既設枠３は、既設上枠４と既設下枠５と左右の既設縦枠６を備えている。
前記既設上枠４の室外側部４ａと建物躯体１との間が躯体上横シール材７で水密されている。
前記既設縦枠６の室外側部６ａと建物躯体１との間が躯体縦シール材８で水密されている。
前記既設枠３内には、新設サッシの新設枠１０が取付けてある。
この新設枠１０は、新設上枠２０と新設下枠３０と左右の新設縦枠４０を枠組みしてある。前記新設枠１０に障子１１が取付けてある。
【００１２】
前記新設上枠２０の室内側部２０ａに、上アタッチメント２１を取付け、この上アタッチメント２１に水密材２１ａを装着し、その水密材２１ａを既設上枠４の室内側部４ｂに接している。
前記新設縦枠４０の室内側部４０ａに、縦アタッチメント４１を取付け、この縦アタッチメント４１に水密材４１ａを装着し、その水密材４１ａを既設縦枠６の室内側部６ｂに接している。
【００１３】
前記新設上枠２０の室外側部２０ｂには上横シール材５０が取付けてある。
この上横シール材５０は、既設上枠４の室外側部４ａにおける室外側面（見込み面）４ｃと、この室外側面４ｃと連続し、かつ直交する方向の見込み面を有する内端部４ｄに接していると共に、建物躯体１の開口部２の上内面２ａにおける躯体上横シール材７よりも室外側に接している。
【００１４】
このようであるから、上横シール材５０による新設上枠２０の室外側部２０ｂと既設上枠４の室外側部４ａとの間の水密性能が十分である。
したがって、既設上枠４が見込み方向、見付け方向に変形した場合でも新設上枠２０の室外側部２０ｂと既設上枠４の室外側部４ａとの間から雨水等が室内側に浸入することを防止できる。
しかも躯体上横シール材７の劣化を防止できるし、シール切れ部分から建物躯体１に雨水等が浸入することを防止できる。
【００１５】
前記新設縦枠４０の室外側部４０ｂには縦シール６０が取付けてある。
この縦シール材６０は、既設縦枠６の室外側部６ａにおける室外側面（見込み面）６ｃと、この室外側面６ｃと連続し、かつ直交する方向の見込み面を有する内端部６ｄに接し、かつ新設縦枠４０の見付け方向の外面４０ｃに接していると共に、建物躯体１の開口部２の縦内面２ｂにおける躯体縦シール材８よりも室外側に接している。
【００１６】
このようであるから、縦シール材６０による新設縦枠４０の室外側部４０ｂと既設縦枠６の室外側部６ａとの間の水密性能が十分である。
したがって、既設縦枠６が見込み方向、見付け方向に変形した場合でも新設縦枠４０の室外側部４０ｂと既設縦枠６の室外側部６ａとの間から雨水等が室内側に浸入することを防止できる。
また、躯体縦シール材８の劣化を防止できるし、シール切れ部分から建物躯体１に雨水等が浸入することを防止できる。
しかも障子１１を閉じて新設縦枠４０に衝突して衝撃が作用したときに、縦シール材６０が弾性圧縮変形し、その衝撃を縦シール材６０で緩和することができる。
【００１７】
前記上横シール材５０の取付けを詳細に説明する。
図３に示すように、前記新設上枠２０の室外側部２０ｂにはシール材取付溝２２が室内側に向けて開口して形成してある。
このシール材取付溝２２を形成する部分における開口部２２ａと連続した室内側面が第１支持面２３で、この第１支持面２３は前記既設上枠４の室外側部４ａの室外側面４ｃと対向している。
前記シール材取付溝２２を形成する部分における見付け方向の外側面が第２支持面２４で、この第２支持面２４は建物躯体１の開口部２の上内面２ａと対向している。
【００１８】
前記上横シール材５０は、取付部５１と、この取付部５１に設けた第１シール部５２と、この第１シール部５２に設けた第２シール部５３を備えている。
前記取付部５１が前述のシール材取付溝２２内に取付けられ、第１シール部５２の室外側部分が前記第１支持面２３、第２支持面２４に接し、室内側部分が既設上枠４の室外側部４ａの室外側面４ｃと内端部４ｄにそれぞれ接する。
前記第２シール部５３は、第１シール部５２から見付け方向外側で、第１シール部５２よりも室外側に向けて斜めに突出し、その第２シール部５３が建物躯体１の開口部２の上内面２ａにおける躯体上横シール材７よりも室外側で、その上内面２ａに接している。
【００１９】
このように、上横シール材５０を第１・第２シール部５２，５３を有するものとし、その第１・第２シール部５２，５３を既設上枠４及び開口部２の上内面２ａにそれぞれ接したので、接する部分に応じた形状、硬度等にできるから、十分な水密性能が得られる。
例えば、第１シール部５２を既設上枠４の室外側部４ａの室外側面４ｃ、及び内端部４ｄに接するブロック形状として水密性能を向上し、第２シール部５３をヒレ形状として開口部２の上内面２ａに接するようにすることで、十分な水密性能が得られる。
【００２０】
また、上横シール材５０の第１シール部５２が第１支持面２３と既設上枠４の室外側部４ａとで挟持されるので、新設上枠２０の室外側部２０ｂと既設上枠４の室外側部４ａの間を確実に水密できると共に、新設上枠２０の見込み方向位置を位置決めすることができる。
つまり、新設枠１０は既設枠３内に室外側から挿入して取付けるので、上横シール材５０の第１シール部５２が既設上枠４の室外側部４ａの室外側面４ｃに接することで見込み方向に位置決めできる。
【００２１】
しかも、第１シール部５２が第２支持面２４に接しているから第１シール部５２は見付け方向に安定して支持され、その第１シール部５２に第２シール部５３が設けてあるので、第２シール部５３は安定して支持される。
しがたって、建物躯体１の開口部２の上内面２ａに接した状態を確実に維持し続けるので、躯体上横シール材７の劣化、シール切れ部分からの建物躯体１への雨水等の浸入を長期間に亘って確実に防止できる。
【００２２】
前記縦シール材６０の取付けを詳細に説明する。
図４に示すように、前記新設縦枠４０の室外側部４０ｂにはシール材取付溝４２が室内側に向けて開口して形成してある。
このシール材取付溝４２を形成する部分における開口部４２ａと連続した室内側面が第１支持面４３で、この第１支持面４３は前記既設縦枠６の室外側部６ａの室外側面６ｃと対向している。
前記シール材取付溝４２を形成する部分における見付け方向の外側面が第２支持面４４で、この第２支持面４４は建物躯体１の開口部２の縦内面２ｂと対向している。
【００２３】
前記縦シール材６０は、取付部６１と、この取付部６１に設けた第１シール部６２と、この第１シール部６２に設けた第２シール部６３を備えている。
前記取付部６１が前述のシール材取付溝４２内に取付けられ、第１シール部６２の室外側部分が前記第１支持面４３、第２支持面４４に接し、室内側部分が既設縦枠６の室外側部６ａの室外側面６ｃと内端部６ｄ及び新設縦枠４０の外面４０ｃにそれぞれ接する。
前記第２シール部６３は、第１シール部６２から見付け方向外側で、第１シール部６２よりも室外側に向けて斜めに突出し、その第２シール部６３が建物躯体１の開口部２の縦内面２ｂにおける躯体縦シール材８よりも室外側で、その縦内面２ｂに接している。
【００２４】
このように、縦シール材６０を第１・第２シール部６２，６３を有するものとし、その第１・第２シール部６２，６３を既設縦枠６及び開口部２の縦内面２ｂにそれぞれ接しているので、接する部分に応じた形状、硬度等にできるから、十分な水密性能が得られる。
例えば、第１シール部６２を既設縦枠６の室外側部６ａの室外側面６ｃ、及び内端部６ｄに接するブロック形状として水密性能を向上し、第２シール部６３をヒレ形状として開口部２の縦内面２ｂに接するようにすることで、十分な水密性能が得られる。
【００２５】
また、縦シール材６０の第１シール部６２が第１支持面４３と既設縦枠６の室外側部６ａとで見込み方向に挟持されると共に、新設縦枠４０の外面４０ｃと既設縦枠６の室外側部６ａとで見付け方向に挟持されるので、新設縦枠４０の室外側部４０ｂと既設縦枠６の室外側部６ａの間を確実に水密できると共に、新設縦枠４０の見込み方向の位置を位置決めすることができ、さらに新設縦枠４０に作用する見付け方向の衝撃を緩和できる。
【００２６】
つまり、新設枠１０は既設枠３内に室外側から挿入して取付けるので、縦シール材６０の第１シール部６２が既設縦枠６の室外側部６ａの室外側面６ｃに接することで見込み方向に位置決めできる。
また、障子１１を閉じたときに障子１１が新設縦枠４０に衝突すると、その衝撃力で縦シール材６０の第１シール部６２が見付け方向に圧縮変形し、その衝撃を緩和する。
【００２７】
しかも、第１シール部６２が第２支持面４４に接しているから第１シール部４２は見付け方向に安定して支持され、その第１シール部４２に第２シール部４３が設けてあるので、第２シール部４３は安定して支持される。
したがって、建物躯体１の開口部２の縦内面２ｂに接した状態を確実に維持し続けるので、躯体縦シール材８の劣化、シール切れ部分からの建物躯体１への雨水等の浸入を長期間に亘って確実に防止できる。
【００２８】
前述の実施の形態では、上横シール材５０、縦シール材６０を開口部２の上内面２ａ、縦内面２ｂに接したが、接しないようにすることもできる。この場合には、上横シール材５０、縦シール材６０は第１シール部５２，６２のみを有する形状とすれば良い。
【図面の簡単な説明】
【００２９】
【図１】本発明の実施の形態を示す改装サッシの縦断面図である。
【図２】本発明の実施の形態を示す改装サッシの横断面図である。
【図３】上横シール材の取付部の拡大縦断面図である。
【図４】縦シール材の取付部の拡大横断面図である。
【符号の説明】
【００３０】
１…建物躯体、２…開口部、２ａ…上内面、２ｂ…縦内面、３…既設枠、４…既設上枠、４ａ…室外側部、４ｃ…室外側面、４ｄ…内端部、５…既設下枠、６…既設縦枠、６ａ…室外側部、６ｃ…室外側面、６ｄ…内端部、７…躯体上横シール材、８…躯体縦シール材、１０…新設枠、２０…新設上枠、２０ｂ…室外側部、２２…シール材取付溝、２３…第１支持面、２４…第２支持面、３０…新設下枠、４０…新設縦枠、４０ｂ…室外側部、４０ｃ…外面、４２…シール材取付溝、４３…第１支持面、４４…第２支持面、５０…上横シール材、５１…取付部、５２…第１シール部、５３…第２シール部、６０…縦シール材、６１…取付部、６２…第１シール部、６３…第２シール部。
【図１】
2010174547.tif 000003
【図２】
2010174547.tif 000004
【図３】
2010174547.tif 000005
【図４】
2010174547.tif 000006